(57)【要約】【課題】従来の記録装置では、記録品位を向上させることが困難である。【解決手段】記録シートＷに対向し、液状体を記録シートＷに向けて吐出する吐出ヘッドと、記録シートＷを、記録シートＷの前記吐出ヘッド側とは反対側から支えるテーブル部７１と、平面視で、テーブル部７１をＸ方向に挟んで対峙するそれぞれの位置に設けられ、記録シートＷを互いに遠ざかる向きに引っ張ることによって、記録シートＷにＸ方向に沿った張力を付与するテンション装置８５と、平面視で、Ｘ方向とは交差する方向である第２方向にテーブル部７１を挟んで対峙するそれぞれの位置に設けられ、記録シートＷを互いに遠ざかる向きに引っ張ることによって、記録シートＷに前記第２方向に沿った張力を付与する第２張力付与部と、を有する、ことを特徴とする記録装置。【選択図】図８
2011152739.tif 000002
【特許請求の範囲】
【請求項１】
記録媒体に対向し、液状体を前記記録媒体に向けて吐出する吐出ヘッドと、
前記記録媒体を、前記記録媒体の前記吐出ヘッド側とは反対側から支えるテーブルと、
平面視で、前記テーブルを第１方向に挟んで対峙するそれぞれの位置に設けられ、前記記録媒体を互いに遠ざかる向きに引っ張ることによって、前記記録媒体に前記第１方向に沿った張力を付与する第１張力付与部と、
平面視で、前記第１方向とは交差する方向である第２方向に前記テーブルを挟んで対峙するそれぞれの位置に設けられ、前記記録媒体を互いに遠ざかる向きに引っ張ることによって、前記記録媒体に前記第２方向に沿った張力を付与する第２張力付与部と、を有する、
ことを特徴とする記録装置。
【請求項２】
前記第１張力付与部は、それぞれ、
前記記録媒体を挟持する挟持部と、
前記挟持部に、前記第１方向に沿って前記テーブルから遠ざかる向きに外力を付与する外力付与部と、を有する、
ことを特徴とする請求項１に記載の記録装置。
【請求項３】
前記第１張力付与部は、それぞれ、
前記記録媒体を吸着する吸着部と、
前記吸着部に、前記第１方向に沿って前記テーブルから遠ざかる向きに外力を付与する外力付与部と、を有する、
ことを特徴とする請求項１に記載の記録装置。
【請求項４】
前記第２張力付与部は、
ロール状に巻かれた前記記録媒体をほぐしながら前記テーブルに向けて前記第２方向に送り出す送出装置と、
前記テーブルを前記第２方向に越えて送り出された前記記録媒体を巻き取る巻取装置と、を有しており、
前記送出装置は、前記記録媒体に前記第２方向に沿った張力を付与するときに、前記記録媒体を前記テーブルから遠ざかる向きに引っ張る、
ことを特徴とする請求項１乃至３のいずれか一項に記載の記録装置。
【請求項５】
前記吐出ヘッドは、前記液状体を液滴の状態で吐出する、
ことを特徴とする請求項１乃至４のいずれか一項に記載の記録装置。
【発明の詳細な説明】
【技術分野】
【０００１】
本発明は、記録装置等に関する。
【背景技術】
【０００２】
従来、スクリーン印刷機の分野において、被印刷体を吸着保持する印刷テーブルが知られている（例えば、特許文献１参照）。
【先行技術文献】
【特許文献】
【０００３】
【特許文献１】特開平１１−５２９３号公報
【発明の概要】
【発明が解決しようとする課題】
【０００４】
上記特許文献１に記載された印刷テーブルは、中央印刷テーブルと、中央印刷テーブルを挟んで互いに対峙する２つの端部印刷テーブルと、を有している。中央印刷テーブルには、被印刷体を吸引吸着するための複数の吸引孔が設けられている。２つの端部印刷テーブルは、被印刷体の端部のそれぞれを吸着した状態で、互いに反対向きに移動することができる。この構成により、被印刷体のしわを引き伸ばした状態で、被印刷体を吸着保持することができる。
【０００５】
ところで、上記特許文献１に記載された印刷テーブルでは、中央印刷テーブルに複数の吸引孔が設けられている。このため、被印刷体（記録媒体）が吸引孔に引き寄せられることに起因して、被印刷体に凹みが発生することがある。
記録装置において、記録媒体に凹みが発生した状態で、この記録媒体に記録を行うと、記録品位が損なわれることがある。
つまり、従来の記録装置では、記録品位を向上させることが困難であるという課題がある。
【課題を解決するための手段】
【０００６】
本発明は、上述の課題の少なくとも一部を解決するためになされたものであり、以下の形態又は適用例として実現され得る。
【０００７】
［適用例１］記録媒体に対向し、液状体を前記記録媒体に向けて吐出する吐出ヘッドと、前記記録媒体を、前記記録媒体の前記吐出ヘッド側とは反対側から支えるテーブルと、平面視で、前記テーブルを第１方向に挟んで対峙するそれぞれの位置に設けられ、前記記録媒体を互いに遠ざかる向きに引っ張ることによって、前記記録媒体に前記第１方向に沿った張力を付与する第１張力付与部と、平面視で、前記第１方向とは交差する方向である第２方向に前記テーブルを挟んで対峙するそれぞれの位置に設けられ、前記記録媒体を互いに遠ざかる向きに引っ張ることによって、前記記録媒体に前記第２方向に沿った張力を付与する第２張力付与部と、を有する、ことを特徴とする記録装置。
【０００８】
この適用例の記録装置は、吐出ヘッドと、テーブルと、第１張力付与部と、第２張力付与部と、を有している。
吐出ヘッドは、記録媒体に対向しており、液状体を記録媒体に向けて吐出する。
テーブルは、記録媒体を、記録媒体の吐出ヘッド側とは反対側から支える。
第１張力付与部は、平面視で、テーブルを第１方向に挟んで対峙するそれぞれの位置に設けられている。第１張力付与部は、記録媒体に第１方向に沿った張力を付与する。テーブルを第１方向に挟んで対峙する第１張力付与部は、記録媒体を互いに遠ざかる向きに引っ張ることによって、記録媒体に張力を付与する。
第２張力付与部は、平面視で、第１方向とは交差する方向である第２方向にテーブルを挟んで対峙するそれぞれの位置に設けられている。第２張力付与部は、記録媒体に第２方向に沿った張力を付与する。テーブルを第２方向に挟んで対峙する第２張力付与部は、記録媒体を互いに遠ざかる向きに引っ張ることによって、記録媒体に張力を付与する。
この記録装置では、記録媒体に第１方向に沿った張力と第２方向に沿った張力とを付与した状態で、記録媒体をテーブルで支えることができる。第１方向と第２方向とは、互いに交差している。互いに交差する方向に張力を付与することができるので、記録媒体にしわやたわみが発生することを低く抑えやすくすることができる。この結果、テーブルに吸引孔を設けなくても、しわやたわみの発生を低く抑えつつ記録媒体をテーブルで支えやすくすることができる。このため、記録媒体において、吸引孔に起因する凹みが発生することを避けることができる。これにより、記録媒体に対する記録品位を向上させやすくすることができる。
【０００９】
［適用例２］上記の記録装置であって、前記第１張力付与部は、それぞれ、前記記録媒体を挟持する挟持部と、前記挟持部に、前記第１方向に沿って前記テーブルから遠ざかる向きに外力を付与する外力付与部と、を有する、ことを特徴とする記録装置。
【００１０】
この適用例では、第１張力付与部が、それぞれ、挟持部と、外力付与部と、を有している。
挟持部は、記録媒体を挟持する。
外力付与部は、挟持部に、第１方向に沿ってテーブルから遠ざかる向きに外力を付与する。
上記の構成により、記録媒体に第１方向に沿った張力を付与することができる。
【００１１】
［適用例３］上記の記録装置であって、前記第１張力付与部は、それぞれ、前記記録媒体を吸着する吸着部と、前記吸着部に、前記第１方向に沿って前記テーブルから遠ざかる向きに外力を付与する外力付与部と、を有する、ことを特徴とする記録装置。
【００１２】
この適用例では、第１張力付与部が、それぞれ、吸着部と、外力付与部と、を有している。
吸着部は、記録媒体を吸着する。
外力付与部は、吸着部に、第１方向に沿ってテーブルから遠ざかる向きに外力を付与する。
上記の構成により、記録媒体に第１方向に沿った張力を付与することができる。
【００１３】
［適用例４］上記の記録装置であって、前記第２張力付与部は、ロール状に巻かれた前記記録媒体をほぐしながら前記テーブルに向けて前記第２方向に送り出す送出装置と、前記テーブルを前記第２方向に越えて送り出された前記記録媒体を巻き取る巻取装置と、を有しており、前記送出装置は、前記記録媒体に前記第２方向に沿った張力を付与するときに、前記記録媒体を前記テーブルから遠ざかる向きに引っ張る、ことを特徴とする記録装置。
【００１４】
この適用例では、第２張力付与部が、送出装置と、巻取装置と、を有している。
送出装置は、ロール状に巻かれた記録媒体をほぐしながらテーブルに向けて第２方向に送り出す。
巻取装置は、テーブルを第２方向に越えて送り出された記録媒体を巻き取る。
そして、送出装置は、記録媒体に第２方向に沿った張力を付与するときに、記録媒体をテーブルから遠ざかる向きに引っ張る。上記の構成により、記録媒体に第２方向に沿った張力を付与することができる。
【００１５】
［適用例５］上記の記録装置であって、前記吐出ヘッドは、前記液状体を液滴の状態で吐出する、ことを特徴とする記録装置。
【００１６】
この適用例では、吐出ヘッドは、液状体を液滴の状態で吐出する。これにより、液状体を吐出ヘッドから吐出させることができる。
【図面の簡単な説明】
【００１７】
【図１】本実施形態における液滴吐出装置の概略の構成を示す斜視図。
【図２】本実施形態における液滴吐出装置の概略の構成を示す斜視図。
【図３】本実施形態におけるキャリッジを図１中のＡ視方向に見たときの正面図。
【図４】本実施形態におけるヘッドユニットの底面図。
【図５】図３中のＢ−Ｂ線における断面図。
【図６】第１実施形態におけるテーブル装置の平面図。
【図７】図６中のＣ−Ｃ線における断面図。
【図８】第１実施形態におけるテーブル装置を図２中のＡ視方向に見たときの正面図。
【図９】第１実施形態におけるテーブル装置を図２中のＡ視方向に見たときの正面図。
【図１０】第１実施形態における液滴吐出装置の概略の構成を示すブロック図。
【図１１】第１実施形態における描画処理の流れを示す図。
【図１２】第２実施形態におけるテーブル装置を図２中のＡ視方向に見たときの正面図。
【図１３】第２実施形態におけるテーブル装置を図２中のＡ視方向に見たときの正面図。
【図１４】第２実施形態におけるテーブル装置を図２中のＡ視方向に見たときの正面図。
【図１５】第２実施形態における液滴吐出装置の概略の構成を示すブロック図。
【図１６】第２実施形態における描画処理の流れを示す図。
【発明を実施するための形態】
【００１８】
図面を参照しながら、記録装置の１つである液滴吐出装置を例に、実施形態について説明する。なお、各図面において、それぞれの構成を認識可能な程度の大きさにするために、構成や部材の縮尺が異なっていることがある。
【００１９】
第１実施形態における液滴吐出装置１は、図１に示すように、送出装置３と、巻取装置５と、テーブル装置７と、キャリッジ９と、キャリッジ搬送装置１１と、を有している。
キャリッジ９には、ヘッドユニット１３と、２個の照射装置１５と、が設けられている。
液滴吐出装置１では、ヘッドユニット１３と記録シートＷとの平面視での相対位置を変化させつつ、ヘッドユニット１３から液状体を液滴として吐出させることによって、記録シートＷに液状体で所望の描画パターンを描画することができる。なお、図中のＹ方向は記録シートＷの送り方向を示し、Ｘ方向は平面視でＹ方向とは直交する方向を示している。また、Ｘ方向及びＹ方向によって規定されるＸＹ平面と直交する方向は、Ｚ方向として規定される。
【００２０】
記録シートＷは、ロール１９ａとして液滴吐出装置１にセットされる。ロール１９ａには、描画する前の記録シートＷが巻き取られている。記録シートＷは、送出装置３によって、ロール１９ａから巻きほどかれてから、ヘッドユニット１３に対向しつつ、Ｙ方向に沿って送り出される。
液状体で描画パターンが描画された記録シートＷは、ヘッドユニット１３よりもＹ方向に下流側で、巻取装置５によってロール１９ｂとして巻き取られる。
このように、液滴吐出装置１では、ロールトゥロールの形態で記録シートＷに描画を行うことができる。
【００２１】
送出装置３は、送出ローラー２１と、送出モーター２３と、を有している。
また、巻取装置５は、巻取ローラー２５と、巻取モーター２７と、を有している。
送出ローラー２１及び巻取ローラー２５は、図２に示すように、それぞれ、Ｘ方向に延在している。送出ローラー２１及び巻取ローラー２５は、Ｙ方向に互いに間隔をあけた状態で並んでいる。送出ローラー２１及び巻取ローラー２５は、それぞれ、回転可能に構成されている。
上述したロール１９ａは、送出ローラー２１にセットされる。また、描画パターンが描画された記録シートＷは、巻取ローラー２５によってロール１９ｂとして巻き取られる。記録シートＷ（図１）は、搬送経路２８に沿ってＹ方向に送られる。
送出モーター２３は、送出ローラー２１を回転駆動するための動力を発生する。送出モーター２３からの動力は、動力伝達機構２９ａを介して送出ローラー２１に伝達される。
巻取モーター２７は、巻取ローラー２５を回転駆動するための動力を発生する。巻取モーター２７からの動力は、動力伝達機構２９ｂを介して巻取ローラー２５に伝達される。
【００２２】
テーブル装置７は、図２に示すように、平面視で送出ローラー２１と巻取ローラー２５との間に設けられている。テーブル装置７は、平面視で搬送経路２８に重なる位置に設けられている。
テーブル装置７は、搬送経路２８のヘッドユニット１３側とは反対側（本実施形態では下側）に設けられている。テーブル装置７は、ヘッドユニット１３側に向けられた載置面７ａを有している。
テーブル装置７は、載置面７ａで記録シートＷを下側から支えることによって、記録シートＷの平坦性を維持させる。
【００２３】
ヘッドユニット１３は、キャリッジ９を図１中のＡ視方向に見たときの正面図である図３に示すように、ヘッドプレート３１と、吐出ヘッド３３と、を有している。
吐出ヘッド３３は、底面図である図４に示すように、ノズル面３５を有している。ノズル面３５には、複数のノズル３７が形成されている。なお、図４では、ノズル３７をわかりやすく示すため、ノズル３７が誇張され、且つノズル３７の個数が減じられている。
吐出ヘッド３３において、複数のノズル３７は、Ｙ方向に沿って配列する１２本のノズル列３９を構成している。１２本のノズル列３９は、Ｘ方向に互いに隙間をあけた状態で並んでいる。各ノズル列３９において、複数のノズル３７は、Ｙ方向に沿って所定のノズル間隔Ｐで形成されている。
【００２４】
以下において、１２本のノズル列３９のそれぞれが識別される場合に、ノズル列３９ａ、ノズル列３９ｂ、ノズル列３９ｃ、ノズル列３９ｄ、ノズル列３９ｅ、ノズル列３９ｆ、ノズル列３９ｇ、ノズル列３９ｈ、ノズル列３９ｉ、ノズル列３９ｊ、ノズル列３９ｋ、及びノズル列３９ｍという表記が用いられる。
吐出ヘッド３３において、ノズル列３９ａとノズル列３９ｂとは、互いにＹ方向にＰ／２の距離だけずれている。ノズル列３９ｃ及びノズル列３９ｄも、互いにＹ方向にＰ／２の距離だけずれている。同様に、ノズル列３９ｅ及びノズル列３９ｆも、互いにＹ方向にＰ／２の距離だけずれており、ノズル列３９ｇ及びノズル列３９ｈも、互いにＹ方向にＰ／２の距離だけずれている。同様に、ノズル列３９ｉ及びノズル列３９ｊも、互いにＹ方向にＰ／２の距離だけずれており、ノズル列３９ｋ及びノズル列３９ｍも、互いにＹ方向にＰ／２の距離だけずれている。
【００２５】
吐出ヘッド３３は、図３中のＢ−Ｂ線における断面図である図５に示すように、ノズルプレート４６と、キャビティープレート４７と、振動板４８と、複数の圧電素子４９と、を有している。
ノズルプレート４６は、ノズル面３５を有している。複数のノズル３７は、ノズルプレート４６に設けられている。
キャビティープレート４７は、ノズルプレート４６のノズル面３５とは反対側の面に設けられている。キャビティープレート４７には、複数のキャビティー５１が形成されている。各キャビティー５１は、各ノズル３７に対応して設けられており、対応する各ノズル３７に連通している。各キャビティー５１には、図示しないタンクから機能液５３が供給される。
【００２６】
振動板４８は、キャビティープレート４７のノズルプレート４６側とは反対側の面に設けられている。振動板４８は、Ｚ方向に振動（縦振動）することによって、キャビティー５１内の容積を拡大したり、縮小したりする。
複数の圧電素子４９は、それぞれ、振動板４８のキャビティープレート４７側とは反対側の面に設けられている。各圧電素子４９は、各キャビティー５１に対応して設けられており、振動板４８を挟んで各キャビティー５１に対向している。各圧電素子４９は、駆動信号に基づいて、伸張する。これにより、振動板４８がキャビティー５１内の容積を縮小する。このとき、キャビティー５１内の機能液５３に圧力が付与される。その結果、ノズル３７から、機能液５３が液滴５５として吐出される。吐出ヘッド３３による液滴５５の吐出法は、インクジェット法の１つである。インクジェット法は、塗布法の１つである。
【００２７】
上記の構成を有する吐出ヘッド３３は、図３に示すように、ノズル面３５がヘッドプレート３１から突出した状態で、ヘッドプレート３１に支持されている。
キャリッジ９は、図３に示すように、ヘッドユニット１３を支持している。ここで、ヘッドユニット１３は、ノズル面３５がＺ方向の下方に向けられた状態でキャリッジ９に支持されている。
なお、本実施形態では、縦振動型の圧電素子４９が採用されているが、機能液５３に圧力を付与するための加圧手段は、これに限定されず、例えば、下電極と圧電体層と上電極とを積層形成した撓み変形型の圧電素子も採用され得る。また、加圧手段としては、振動板と電極との間に静電気を発生させて、静電気力によって振動板を変形させてノズルから液滴を吐出させるいわゆる静電式アクチュエーターなども採用され得る。さらに、発熱体を用いてノズル内に泡を発生させ、その泡によって機能液に圧力を付与する構成も採用され得る。
【００２８】
本実施形態では、機能液５３として、光の照射を受けることによって硬化が促進する機能液５３が採用されている。本実施形態では、機能液５３の硬化を促進させる光として図３に示す紫外光５７が採用されている。
機能液５３は、樹脂材料、光重合開始剤及び溶媒などを、成分として含んでいる。これらの成分に、顔料や染料等の色素や、親液性や撥液性等の表面改質材料などの機能性材料を添加することによって固有の機能を有する機能液５３を生成することができる。顔料や染料等の色素を含有する機能液５３は、例えば、記録シートＷに描画する画像を形成するための機能液５３として採用され得る。以下において、記録シートＷに描画する画像を形成するための機能液５３は、画像塗料と呼ばれる。
【００２９】
また、機能液５３の成分としての樹脂材料に、例えば、アクリル系の樹脂材料などの光透過性を有する樹脂材料を採用することによって、光透過性を有する機能液５３を構成することができる。このような光透過性を有する機能液５３は、例えば、クリアインクとしての用途が考えられる。以下において、光透過性を有する機能液５３は、透光塗料と呼ばれる。
クリアインクの用途としては、例えば、画像を被覆するオーバーコート層としての用途や、画像を形成する前の下地層としての用途などが考えられる。以下において、下地層として適用される機能液５３は、下地塗料と呼ばれる。
下地塗料としては、透光塗料だけでなく、透光塗料に種々の顔料を添加した機能液５３を採用することもできる。
機能液５３における樹脂材料は、樹脂膜を形成する材料である。このような樹脂材料としては、常温で液状であり、重合させることによってポリマーとなる材料であれば特に限定されない。樹脂材料としては、粘性が小さいものが好ましく、オリゴマーの形態であるのが好ましい。さらに、樹脂材料としては、モノマーの形態であることが一層好ましい。
光重合開始剤は、ポリマーの架橋性基に作用して架橋反応を進行させる添加剤である。光重合開始剤としては、例えば、ベンジルジメチルケタールなどが採用され得る。本実施形態では、光重合開始剤として、ラジカル型の光重合開始剤が採用されている。ラジカル型の光重合開始剤としては、例えば、チバ・ジャパン（株）社製のイルガキュア８１９などが採用され得る。
溶媒は、樹脂材料の粘度を調整するためのものである。
【００３０】
本実施形態では、機能液５３として、相互に色が異なる５種類の画像塗料と、１種類の透光塗料とが採用されている。５種類の画像塗料において、相互に異なる色は、それぞれ、イエロー（Ｙ）、マゼンタ（Ｍ）、シアン（Ｃ）、ブラック（Ｋ）及びホワイト（Ｗ）である。
なお、以下において、５種類の機能液５３を色ごとに識別する場合に、機能液５３Ｙ、機能液５３Ｍ、機能液５３Ｃ、機能液５３Ｋ、及び機能液５３Ｗという表記が用いられる。また、透光塗料に対応する機能液５３は、機能液５３Ｔという表記が用いられる。
本実施形態では、異なる５色の画像塗料（機能液５３）が採用されているので、画像におけるカラー表示が実現され得る。
吐出ヘッド３３において、前述した１２本のノズル列３９（図４）は、機能液５３の色ごとに区分されている。本実施形態では、ノズル列３９ａ及びノズル列３９ｂに属するノズル３７は、機能液５３Ｋを液滴５５として吐出する。ノズル列３９ｃ及びノズル列３９ｄに属するノズル３７は、機能液５３Ｃを液滴５５として吐出する。ノズル列３９ｅ及びノズル列３９ｆに属するノズル３７は、機能液５３Ｍを液滴５５として吐出する。ノズル列３９ｇ及びノズル列３９ｈに属するノズル３７は、機能液５３Ｙを液滴５５として吐出する。ノズル列３９ｉ及びノズル列３９ｊに属するノズル３７は、機能液５３Ｗを液滴５５として吐出する。ノズル列３９ｋ及びノズル列３９ｍに属するノズル３７は、機能液５３Ｔを液滴５５として吐出する。
【００３１】
２個の照射装置１５は、図３に示すように、それぞれ、Ｘ方向にヘッドユニット１３を挟んで互いに対峙する位置に設けられている。以下において、２個の照射装置１５のそれぞれを識別する場合に、照射装置１５ａ及び照射装置１５ｂという表記が用いられる。
照射装置１５ａ及び照射装置１５ｂは、それぞれ、紫外光５７を発する光源５９を有している。光源５９からの紫外光５７は、吐出ヘッド３３から吐出された機能液５３の硬化を促進させる。機能液５３は、紫外光５７の照射を受けると、硬化が促進する。
光源５９としては、例えば、ＬＥＤ、ＬＤ、水銀ランプ、メタルハライドランプ、キセノンランプ、エキシマランプ等の種々の光源５９が採用され得る。
【００３２】
キャリッジ搬送装置１１は、図２に示すように、架台６１と、ガイドレール６３と、キャリッジ位置検出装置６５と、を有している。
架台６１は、Ｘ方向に延在しており、テーブル装置７及び搬送経路２８をＸ方向にまたいでいる。架台６１は、搬送経路２８を挟んでテーブル装置７に対峙しており、搬送経路２８を挟んで載置面７ａに対向している。架台６１は、支柱６７ａと支柱６７ｂとによって支持されている。支柱６７ａ及び支柱６７ｂは、平面視で搬送経路２８を挟んでＸ方向に互いに対峙する位置に設けられている。支柱６７ａ及び支柱６７ｂは、それぞれ、テーブル装置７の載置面７ａよりもＺ方向の上方に突出している。これにより、架台６１とテーブル装置７との間には、隙間が保たれている。
【００３３】
ガイドレール６３は、架台６１のテーブル装置７側に設けられている。ガイドレール６３は、Ｘ方向に沿って延在しており、架台６１のＸ方向における幅にわたって設けられている。
前述したキャリッジ９は、ガイドレール６３に支持されている。キャリッジ９がガイドレール６３に支持された状態において、吐出ヘッド３３のノズル面３５は、Ｚ方向においてテーブル装置７側に向いている。キャリッジ９は、ガイドレール６３によってＸ方向に沿って案内され、Ｘ方向に往復動可能な状態でガイドレール６３に支持されている。なお、平面視で、キャリッジ９がテーブル装置７に重なっている状態において、ノズル面３５とテーブル装置７の載置面７ａとは、互いに隙間を保った状態で対向する。
キャリッジ位置検出装置６５は、架台６１とキャリッジ９との間に設けられており、Ｘ方向に延在している。キャリッジ位置検出装置６５は、キャリッジ９のＸ方向における位置を検出する。
【００３４】
キャリッジ９は、図示しない移動機構及び動力源によって、Ｘ方向に往復動可能に構成されている。移動機構としては、例えば、ボールねじとボールナットとを組み合わせた機構や、リニアガイド機構などが採用され得る。また、本実施形態では、キャリッジ９をＸ方向に沿って移動させるための動力源として、後述するキャリッジ搬送モーターが採用されている。キャリッジ搬送モーターとしては、ステッピングモーター、サーボモーター、リニアモーターなどの種々のモーターが採用され得る。
キャリッジ搬送モーターからの動力は、移動機構を介してキャリッジ９に伝達される。これにより、キャリッジ９は、ガイドレール６３に沿って、すなわちＸ方向に沿って往復移動することができる。つまり、キャリッジ搬送装置１１は、キャリッジ９に支持されたヘッドユニット１３を、Ｘ方向に沿って往復移動させることができる。
【００３５】
ここで、テーブル装置７の構成について詳細を説明する。
第１実施形態におけるテーブル装置７は、平面図である図６に示すように、テーブル部７１と、吸着部７３ａと、吸着部７３ｂと、吸引ポンプ７５と、を有している。
テーブル部７１、吸着部７３ａ及び吸着部７３ｂは、相互に別体で構成されている。
吸着部７３ａ及び吸着部７３ｂは、テーブル部７１をＸ方向に挟んで互いに対峙する位置に設けられている。
吸着部７３ａ及び吸着部７３ｂには、それぞれ、複数の吸引孔７６が設けられている。
吸引ポンプ７５は、チューブ７９を介して吸着部７３ａ及び吸着部７３ｂのそれぞれにつながっている。
【００３６】
ここで、吸着部７３ａ及び吸着部７３ｂには、図６中のＣ−Ｃ線における断面図である図７に示すように、それぞれ、内部に吸引室７７が設けられている。吸着部７３ａ及び吸着部７３ｂのそれぞれにおいて、各吸引孔７６は、吸引室７７に連通している。
上述したチューブ７９は、吸着部７３ａ及び吸着部７３ｂのそれぞれにおける吸引室７７に連通している。このため、吸引ポンプ７５は、チューブ７９、吸引室７７及び吸引孔７６を介して大気を吸引することができる。これにより、吸着部７３ａ及び吸着部７３ｂに重なる記録シートＷを、吸着部７３ａ及び吸着部７３ｂに吸着させることができる。
また、テーブル装置７は、図２中のＡ視方向における正面図である図８に示すように、テンション装置８５を有している。
テンション装置８５は、電磁ソレノイド８１ａと、電磁ソレノイド８１ｂと、ガイドレール８３ａと、ガイドレール８３ｂと、を有している。なお、上述した吸着部７３ａと、吸着部７３ｂと、吸引ポンプ７５と、チューブ７９とは、テンション装置８５に含まれる。
【００３７】
ガイドレール８３ａは、吸着部７３ａをＸ方向に沿って進退可能に案内する。電磁ソレノイド８１ａは、吸着部７３ａをＸ方向に沿って進退させるための動力を発生する。電磁ソレノイド８１ａは、進退可能な駆動軸を有している。電磁ソレノイド８１ａからの動力は、電磁ソレノイド８１ａの駆動軸を介して吸着部７３ａに伝達される。吸着部７３ａは、電磁ソレノイド８１ａから動力が伝達されて、ガイドレール８３ａによってＸ方向に進退可能に案内される。
ガイドレール８３ｂは、吸着部７３ｂをＸ方向に沿って進退可能に案内する。電磁ソレノイド８１ｂは、吸着部７３ｂをＸ方向に沿って進退させるための動力を発生する。電磁ソレノイド８１ｂは、進退可能な駆動軸を有している。電磁ソレノイド８１ｂからの動力は、電磁ソレノイド８１ｂの駆動軸を介して吸着部７３ｂに伝達される。吸着部７３ｂは、電磁ソレノイド８１ｂから動力が伝達されて、ガイドレール８３ｂによってＸ方向に進退可能に案内される。
【００３８】
本実施形態では、電磁ソレノイド８１ａ及び電磁ソレノイド８１ｂへの電力の供給が停止すると、電磁ソレノイド８１ａ及び電磁ソレノイド８１ｂのそれぞれの駆動軸は、図８に示す待避状態に待避する。このとき、吸着部７３ａ及び吸着部７３ｂは、それぞれ、テーブル部７１に当接した状態となる。以下においては、吸着部７３ａ及び吸着部７３ｂのそれぞれがテーブル部７１に当接した状態は、待避状態と呼ばれる。つまり、電磁ソレノイド８１ａ及び電磁ソレノイド８１ｂのそれぞれが待避状態にあるとき、吸着部７３ａ及び吸着部７３ｂは、それぞれ、待避状態にある。
なお、本実施形態では、電磁ソレノイド８１ａ及び電磁ソレノイド８１ｂのそれぞれの駆動軸は、待避側に付勢されている。このため、電磁ソレノイド８１ａ及び電磁ソレノイド８１ｂへの電力の供給が停止した状態では、電磁ソレノイド８１ａ及び電磁ソレノイド８１ｂのそれぞれは、待避状態になる。
【００３９】
他方で、電磁ソレノイド８１ａ及び電磁ソレノイド８１ｂへ電力が供給されると、電磁ソレノイド８１ａ及び電磁ソレノイド８１ｂのそれぞれの駆動軸は、図９に示すように、進出状態に進出する。このとき、吸着部７３ａ及び吸着部７３ｂは、それぞれ、テーブル部７１から離間した状態となる。以下においては、吸着部７３ａ及び吸着部７３ｂのそれぞれがテーブル部７１から離間した状態は、進出状態と呼ばれる。つまり、電磁ソレノイド８１ａ及び電磁ソレノイド８１ｂのそれぞれが進出状態にあるとき、吸着部７３ａ及び吸着部７３ｂは、それぞれ、進出状態にある。
吸着部７３ａ及び吸着部７３ｂが進出状態のとき、吸引ポンプ７５が作動していれば、記録シートＷは、Ｘ方向に互いに遠ざかる向きに引っ張られる。これにより、記録シートＷには、Ｘ方向に沿って張力が付与される。
【００４０】
液滴吐出装置１は、図１０に示すように、上記の各構成の動作を制御する制御部１１１を有している。制御部１１１は、ＣＰＵ（Central Processing Unit）１１３と、駆動制御部１１５と、メモリー部１１７と、を有している。駆動制御部１１５及びメモリー部１１７は、バス１１９を介してＣＰＵ１１３に接続されている。
また、液滴吐出装置１は、キャリッジ搬送モーター１２１と、入力装置１２９と、表示装置１３１と、を有している。
キャリッジ搬送モーター１２１、入力装置１２９、及び表示装置１３１は、それぞれ、入出力インターフェース１３３とバス１１９とを介して制御部１１１に接続されている。
【００４１】
キャリッジ搬送モーター１２１は、キャリッジ９を駆動するための動力を発生させる。
入力装置１２９は、各種の加工条件を入力する装置である。
表示装置１３１は、加工条件や、作業状況を表示する装置である。
液滴吐出装置１を操作するオペレーターは、表示装置１３１に表示される情報を確認しながら、入力装置１２９を介して種々の情報を入力することができる。
なお、送出モーター２３、巻取モーター２７、キャリッジ位置検出装置６５、吐出ヘッド３３、及び２個の照射装置１５も、それぞれ、入出力インターフェース１３３とバス１１９とを介して制御部１１１に接続されている。また、吸引ポンプ７５、電磁ソレノイド８１ａ及び電磁ソレノイド８１ｂも、それぞれ、入出力インターフェース１３３とバス１１９とを介して制御部１１１に接続されている。
【００４２】
ＣＰＵ１１３は、プロセッサーとして各種の演算処理を行う。駆動制御部１１５は、各構成の駆動を制御する。メモリー部１１７は、ＲＡＭ（Random Access Memory）や、ＲＯＭ（Read-Only Memory）などを含んでいる。メモリー部１１７には、液滴吐出装置１における動作の制御手順が記述されたプログラムソフト１３５を記憶する領域や、各種のデータを一時的に展開する領域であるデータ展開部１３７などが設定されている。データ展開部１３７に展開されるデータとしては、例えば、描画すべきパターンが示される描画データや、描画処理等のプログラムデータなどが挙げられる。
駆動制御部１１５は、モーター制御部１４１と、位置検出制御部１４３と、吐出制御部１４５と、照射制御部１４７と、吸引制御部１４９と、ソレノイド制御部１５１と、表示制御部１５３と、を有している。
【００４３】
モーター制御部１４１は、ＣＰＵ１１３からの指令に基づいて、送出モーター２３の駆動と、巻取モーター２７の駆動と、キャリッジ搬送モーター１２１の駆動とを、個別に制御する。
位置検出制御部１４３は、ＣＰＵ１１３からの指令に基づいて、キャリッジ位置検出装置６５を制御する。
位置検出制御部１４３は、ＣＰＵ１１３からの指令に基づいて、キャリッジ位置検出装置６５にキャリッジ９のＸ方向における位置を検出させ、且つ検出結果をＣＰＵ１１３に出力する。
【００４４】
吐出制御部１４５は、ＣＰＵ１１３からの指令に基づいて、吐出ヘッド３３の駆動を制御する。
照射制御部１４７は、ＣＰＵ１１３からの指令に基づいて、照射装置１５ａ及び照射装置１５ｂのそれぞれにおける光源５９の発光状態を個別に制御する。
吸引制御部１４９は、ＣＰＵ１１３からの指令に基づいて、吸引ポンプ７５の駆動を制御する。
ソレノイド制御部１５１は、ＣＰＵ１１３からの指令に基づいて、電磁ソレノイド８１ａ及び電磁ソレノイド８１ｂの駆動を個別に制御する。
表示制御部１５３は、ＣＰＵ１１３からの指令に基づいて、表示装置１３１の駆動を制御する。
【００４５】
ここで、液滴吐出装置１における描画処理について説明する。
液滴吐出装置１では、制御部１１１が入力装置１２９から入出力インターフェース１３３及びバス１１９を介して描画データを受け取ると、ＣＰＵ１１３によって図１１に示す描画処理が開始される。
ここで、描画データは、機能液５３（液状体）で記録シートＷに描画すべきパターンを指示するものであり、描画すべきパターンがビットマップ状に表現されている。記録シートＷへのパターンの描画は、吐出ヘッド３３を記録シートＷに対向させた状態で、吐出ヘッド３３を記録シートＷに対して相対的に往復移動させながら、吐出ヘッド３３から液滴５５を所定周期で吐出させることによって行われる。
【００４６】
描画処理では、ＣＰＵ１１３は、まず、ステップＳ１において、キャリッジ搬送指令をモーター制御部１４１（図１０）に出力する。このとき、モーター制御部１４１は、キャリッジ搬送モーター１２１の駆動を制御して、キャリッジ９を描画エリアの往路開始位置に移動させる。ここで、描画エリアは、平面視で、図２に示すテーブル装置７の載置面７ａと、吐出ヘッド３３によってＸ方向に沿って描かれる軌跡とが重なり合う領域である。往路開始位置は、キャリッジ９を往復移動させるときの往路が開始する位置である。本実施形態では、往路開始位置は、Ｘ方向において、テーブル装置７の支柱６７ａ側に位置している。往路開始位置は、平面視で、テーブル装置７の外側に位置している。
次いで、ステップＳ２において、ＣＰＵ１１３は、シート搬送指令をモーター制御部１４１（図１０）に出力する。このとき、モーター制御部１４１は、巻取モーター２７の駆動と、送出モーター２３の駆動とを制御して、記録シートＷの描画すべき領域を描画エリアに移動させる。このとき、モーター制御部１４１は、巻取モーター２７及び送出モーター２３を、それぞれ、記録シートＷを送出装置３（図１）から巻取装置５側に向けて搬送する向きに駆動させる。
【００４７】
次いで、ステップＳ３において、ＣＰＵ１１３は、送出モーター２３に対する静止指令をモーター制御部１４１（図１０）に出力する。このとき、モーター制御部１４１は、送出モーター２３の駆動を制御して、送出モーター２３を静止させる。このとき、送出モーター２３は、電気的に静止した状態、すなわちブレーキがかかった状態に制御される。他方で、巻取モーター２７は、駆動された状態が維持されている。このため、記録シートＷは、搬送が停止し、且つＹ方向に互いに遠ざかる向きに引っ張られる。これにより、記録シートＷには、Ｙ方向に沿って張力が付与される。
次いで、ステップＳ４において、ＣＰＵ１１３は、吸引指令を吸引制御部１４９（図１０）に出力する。このとき、吸引制御部１４９は、吸引ポンプ７５の駆動を制御して、吸引ポンプ７５を作動させる。これにより、吸着部７３ａ及び吸着部７３ｂに記録シートＷが吸着する。
【００４８】
次いで、ステップＳ５において、ＣＰＵ１１３は、テンション指令をソレノイド制御部１５１（図１０）に出力する。このとき、ソレノイド制御部１５１は、電磁ソレノイド８１ａ及び電磁ソレノイド８１ｂに電力を供給し、電磁ソレノイド８１ａ及び電磁ソレノイド８１ｂのそれぞれを駆動させる。これにより、電磁ソレノイド８１ａ及び電磁ソレノイド８１ｂのそれぞれが待避状態から進出状態になる。そして、吸着部７３ａ及び吸着部７３ｂのそれぞれも、待避状態から進出状態になる。この結果、記録シートＷに、Ｘ方向に沿って張力が付与される。
【００４９】
次いで、ステップＳ６において、ＣＰＵ１１３は、キャリッジ走査指令をモーター制御部１４１（図１０）に出力する。このとき、モーター制御部１４１は、キャリッジ搬送モーター１２１の駆動を制御して、キャリッジ９の往復移動を開始させる。
ここで、キャリッジ９の往復移動では、キャリッジ９は、上述した往路開始位置と復路開始位置との間を往復移動する。つまり、往路開始位置から復路開始位置で折り返して往路開始位置に戻る経路がキャリッジ９の１往復である。このため、本実施形態では、往路開始位置から復路開始位置に向かう経路がキャリッジ９の往路である。他方で、復路開始位置から往路開始位置に向かう経路がキャリッジ９の復路である。
なお、復路開始位置は、Ｘ方向にテーブル装置７（図２）を挟んで往路開始位置に対峙する位置である。復路開始位置は、平面視で、テーブル装置７の外側に位置している。このため、往路開始位置と復路開始位置とは、平面視で、テーブル装置７をＸ方向に挟んで互いに対峙している。
次いで、ステップＳ７において、ＣＰＵ１１３は、照射装置１５ａに対する照射指令を照射制御部１４７（図１０）に出力する。このとき、照射制御部１４７は、照射装置１５ａの光源５９の駆動を制御して、照射装置１５ａの光源５９を点灯させる。
【００５０】
次いで、ステップＳ８において、ＣＰＵ１１３は、吐出指令を吐出制御部１４５（図１０）に出力する。このとき、吐出制御部１４５は、吐出ヘッド３３の駆動を制御して、描画データに基づいて、各ノズル３７から液滴５５を吐出させる。これにより、往路での描画が行われる。
次いで、ステップＳ９において、ＣＰＵ１１３は、キャリッジ９の位置が復路開始位置に到達したか否かを判定する。このとき、キャリッジ９の位置が復路開始位置に到達した（Ｙｅｓ）と判定されると、処理がステップＳ１０に移行する。他方で、キャリッジ９の位置が復路開始位置に到達していない（Ｎｏ）と判定されると、キャリッジ９の位置が復路開始位置に到達するまで処理が待機される。
【００５１】
ステップＳ１０において、ＣＰＵ１１３は、吐出停止指令を吐出制御部１４５（図１０）に出力する。このとき、吐出制御部１４５は、吐出ヘッド３３の駆動を停止して、各ノズル３７からの液滴５５の吐出を停止させる。これにより、往路での描画が終了する。
次いで、ステップＳ１１において、ＣＰＵ１１３は、照射装置１５ａに対する停止指令を照射制御部１４７（図１０）に出力する。このとき、照射制御部１４７は、照射装置１５ａの光源５９の駆動を制御して、照射装置１５ａの光源５９を消灯させる。
次いで、ステップＳ１２において、ＣＰＵ１１３は、テンション解除指令をソレノイド制御部１５１（図１０）に出力する。このとき、ソレノイド制御部１５１は、電磁ソレノイド８１ａ及び電磁ソレノイド８１ｂへの電力の供給を停止し、電磁ソレノイド８１ａ及び電磁ソレノイド８１ｂのそれぞれを進出状態から待避状態にさせる。これにより、吸着部７３ａ及び吸着部７３ｂのそれぞれが、進出状態から待避状態になる。この結果、記録シートＷへのＸ方向に沿った張力が解除される。
【００５２】
次いで、ステップＳ１３において、ＣＰＵ１１３は、吸引解除指令を吸引制御部１４９（図１０）に出力する。このとき、吸引制御部１４９は、吸引ポンプ７５を停止させる。これにより、吸着部７３ａ及び吸着部７３ｂへの記録シートＷの吸着が解除される。
次いで、ステップＳ１４において、ＣＰＵ１１３は、シート搬送指令をモーター制御部１４１（図１０）に出力する。このとき、モーター制御部１４１は、巻取モーター２７の駆動と、送出モーター２３の駆動とを制御して、記録シートＷの新たに描画すべき領域を描画エリアに移動させる。このとき、モーター制御部１４１は、巻取モーター２７及び送出モーター２３を、それぞれ、記録シートＷを送出装置３（図１）から巻取装置５側に向けて搬送する向きに駆動させる。
【００５３】
次いで、ステップＳ１５において、ＣＰＵ１１３は、送出モーター２３に対する静止指令をモーター制御部１４１（図１０）に出力する。このとき、モーター制御部１４１は、送出モーター２３の駆動を制御して、送出モーター２３を静止させる。このとき、記録シートＷは、搬送が停止し、且つＹ方向に互いに遠ざかる向きに引っ張られる。これにより、記録シートＷには、Ｙ方向に沿って張力が付与される。
次いで、ステップＳ１６において、ＣＰＵ１１３は、吸引指令を吸引制御部１４９（図１０）に出力する。このとき、吸引制御部１４９は、吸引ポンプ７５の駆動を制御して、吸引ポンプ７５を作動させる。これにより、吸着部７３ａ及び吸着部７３ｂに記録シートＷが吸着する。
【００５４】
次いで、ステップＳ１７において、ＣＰＵ１１３は、テンション指令をソレノイド制御部１５１（図１０）に出力する。このとき、ソレノイド制御部１５１は、電磁ソレノイド８１ａ及び電磁ソレノイド８１ｂに電力を供給し、電磁ソレノイド８１ａ及び電磁ソレノイド８１ｂのそれぞれを駆動させる。これにより、電磁ソレノイド８１ａ及び電磁ソレノイド８１ｂのそれぞれが待避状態から進出状態になる。そして、吸着部７３ａ及び吸着部７３ｂのそれぞれも、待避状態から進出状態になる。この結果、記録シートＷに、Ｘ方向に沿って張力が付与される。
【００５５】
次いで、ステップＳ１８において、ＣＰＵ１１３は、照射装置１５ｂに対する照射指令を照射制御部１４７（図１０）に出力する。このとき、照射制御部１４７は、照射装置１５ｂの光源５９の駆動を制御して、照射装置１５ｂの光源５９を点灯させる。
次いで、ステップＳ１９において、ＣＰＵ１１３は、吐出指令を吐出制御部１４５（図１０）に出力する。このとき、吐出制御部１４５は、吐出ヘッド３３の駆動を制御して、描画データに基づいて、各ノズル３７から液滴５５を吐出させる。これにより、復路での描画が行われる。
次いで、ステップＳ２０において、ＣＰＵ１１３は、キャリッジ９の位置が往路開始位置に到達したか否かを判定する。このとき、キャリッジ９の位置が往路開始位置に到達した（Ｙｅｓ）と判定されると、処理がステップＳ２１に移行する。他方で、キャリッジ９の位置が往路開始位置に到達していない（Ｎｏ）と判定されると、キャリッジ９の位置が往路開始位置に到達するまで処理が待機される。
【００５６】
ステップＳ２１において、ＣＰＵ１１３は、吐出停止指令を吐出制御部１４５（図１０）に出力する。このとき、吐出制御部１４５は、吐出ヘッド３３の駆動を停止して、各ノズル３７からの液滴５５の吐出を停止させる。これにより、復路での描画が終了する。
次いで、ステップＳ２２において、ＣＰＵ１１３は、照射装置１５ｂに対する停止指令を照射制御部１４７（図１０）に出力する。このとき、照射制御部１４７は、照射装置１５ｂの光源５９の駆動を制御して、照射装置１５ｂの光源５９を消灯させる。
次いで、ステップＳ２３において、ＣＰＵ１１３は、テンション解除指令をソレノイド制御部１５１（図１０）に出力する。このとき、ソレノイド制御部１５１は、電磁ソレノイド８１ａ及び電磁ソレノイド８１ｂへの電力の供給を停止し、電磁ソレノイド８１ａ及び電磁ソレノイド８１ｂのそれぞれを進出状態から待避状態にさせる。これにより、吸着部７３ａ及び吸着部７３ｂのそれぞれが、進出状態から待避状態になる。この結果、記録シートＷへのＸ方向に沿った張力が解除される。
【００５７】
次いで、ステップＳ２４において、ＣＰＵ１１３は、吸引解除指令を吸引制御部１４９（図１０）に出力する。このとき、吸引制御部１４９は、吸引ポンプ７５を停止させる。これにより、吸着部７３ａ及び吸着部７３ｂへの記録シートＷの吸着が解除される。
次いで、ステップＳ２５において、ＣＰＵ１１３は、描画データが終了したか否かを判定する。このとき、描画データが終了した（Ｙｅｓ）と判定されると、処理が終了する。他方で、描画データが終了していない（Ｎｏ）と判定されると、処理がステップＳ２に移行する。
【００５８】
本実施形態において、Ｘ方向が第１方向に対応し、Ｙ方向が第２方向に対応し、記録シートＷが記録媒体に対応し、テーブル部７１がテーブルに対応し、テンション装置８５が第１張力付与部に対応している。また、送出装置３及び巻取装置５が第２張力付与部に対応し、電磁ソレノイド８１ａ及び電磁ソレノイド８１ｂが外力付与部に対応している。
本実施形態では、記録シートＷにＸ方向及びＹ方向のそれぞれに沿った張力を付与した状態で、記録シートＷをテーブル部７１で支えることができる。Ｘ方向とＹ方向とは、互いに交差している。本実施形態では、互いに交差する方向に張力を付与することができるので、記録シートＷにしわやたわみが発生することを低く抑えやすくすることができる。この結果、テーブル部７１に吸引孔を設けなくても、しわやたわみの発生を低く抑えつつ記録シートＷをテーブル部７１で支えやすくすることができる。このため、記録シートＷの描画エリアにおいて、吸引孔に起因する凹みが発生することを避けることができる。これにより、記録シートＷに対する記録品位を向上させやすくすることができる。
【００５９】
なお、本実施形態では、描画処理のステップＳ３及びステップＳ１５のそれぞれの処理において、送出モーター２３を静止させる処理が採用されている。これにより、記録シートＷに、Ｙ方向に沿った張力が付与される。しかしながら、記録シートＷへのＹ方向に沿った張力の付与方法は、これに限定されない。記録シートＷへのＹ方向に沿った張力の付与方法としては、例えば、描画処理のステップＳ３及びステップＳ１５のそれぞれの処理において、送出モーター２３の駆動方向を逆転させる方法も採用され得る。
また、本実施形態では、吸着部７３ａ及び吸着部７３ｂのそれぞれに外力を付与する動力源として電磁ソレノイド８１ａ及び電磁ソレノイド８１ｂが採用されている。しかしながら、動力源は、これに限定されず、モーターなどの種々のアクチュエーターが採用され得る。
【００６０】
第２実施形態について説明する。
第２実施形態における液滴吐出装置１は、第１実施形態におけるテーブル装置７のテンション装置８５が、図１２に示すように、テンション装置１６１に替えられていることを除いては、第１実施形態における液滴吐出装置１と同様の構成を有している。このため、以下においては、第１実施形態と同一の構成については、同一の符号を付して詳細な説明を省略する。
第２実施形態におけるテーブル装置７は、テーブル部７１と、テンション装置１６１と、を有している。
テンション装置１６１は、クランプ部１６３ａと、クランプ部１６３ｂと、引張りばね１６５ａと、引張りばね１６５ｂと、ガイドレール１６７ａと、ガイドレール１６７ｂと、を有している。
なお、テンション装置１６１では、テンション装置８５（図８）における吸引ポンプ７５及びチューブ７９が省略されている。また、テンション装置１６１は、テンション装置８５（図８）と同様に、電磁ソレノイド８１ａ及び電磁ソレノイド８１ｂ、並びに、ガイドレール８３ａ及びガイドレール８３ｂを有している。
【００６１】
クランプ部１６３ａは、可動子１７１ａと、固定子１７３ａと、を有している。
ガイドレール１６７ａは、固定子１７３ａに設けられており、可動子１７１ａをＸ方向に沿って進退可能に案内する。
引張りばね１６５ａは、可動子１７１ａと固定子１７３ａとの間に介在しており、可動子１７１ａを固定子１７３ａから遠ざける向きに可動子１７１ａを付勢している。
クランプ部１６３ａは、図示しない電磁石を有している。
クランプ部１６３ａの電磁石に電力が供給される（電磁石が励磁される）ことによって、可動子１７１ａと固定子１７３ａとの間に吸引力が発生する。クランプ部１６３ａの電磁石への電力の供給が停止した状態（電磁石の励磁が解除された状態）では、可動子１７１ａは、固定子１７３ａから離間している。
【００６２】
ガイドレール１６７ｂは、固定子１７３ｂに設けられており、可動子１７１ｂをＸ方向に沿って進退可能に案内する。
引張りばね１６５ｂは、可動子１７１ｂと固定子１７３ｂとの間に介在しており、可動子１７１ｂを固定子１７３ｂから遠ざける向きに可動子１７１ｂを付勢している。
クランプ部１６３ｂは、図示しない電磁石を有している。
クランプ部１６３ｂの電磁石が励磁されることによって、可動子１７１ｂと固定子１７３ｂとの間に吸引力が発生する。クランプ部１６３ｂの電磁石の励磁が解除された状態では、可動子１７１ｂは、固定子１７３ｂから離間している。
【００６３】
クランプ部１６３ａの電磁石が励磁されると、可動子１７１ａと固定子１７３ａとの間に発生する吸引力によって、可動子１７１ａは、図１３に示すように、固定子１７３ａに近づく。このとき、可動子１７１ａと固定子１７３ａとの間に介在する記録シートＷが、可動子１７１ａと固定子１７３ａとの間に挟持される。
同様に、クランプ部１６３ｂの電磁石が励磁されると、可動子１７１ｂと固定子１７３ｂとの間に発生する吸引力によって、可動子１７１ｂは、固定子１７３ｂに近づく。このとき、可動子１７１ｂと固定子１７３ｂとの間に介在する記録シートＷが、可動子１７１ｂと固定子１７３ｂとの間に挟持される。
クランプ部１６３ａ及びクランプ部１６３ｂのそれぞれが記録シートＷを挟持した状態で、電磁ソレノイド８１ａ及び電磁ソレノイド８１ｂへ電力を供給すると、記録シートＷは、図１４に示すように、Ｘ方向に互いに遠ざかる向きに引っ張られる。これにより、記録シートＷには、Ｘ方向に沿って張力が付与される。
【００６４】
第２実施形態における液滴吐出装置１では、図１５に示すように、駆動制御部１１５は、励磁制御部１８１を有している。
また、クランプ部１６３ａ及びクランプ部１６３ｂのそれぞれの電磁石は、入出力インターフェース１３３とバス１１９とを介して制御部１１１に接続されている。
励磁制御部１８１は、ＣＰＵ１１３からの指令に基づいて、クランプ部１６３ａ及びクランプ部１６３ｂのそれぞれの電磁石の励磁を個別に制御する。
【００６５】
ここで、第２実施形態における液滴吐出装置１での描画処理について説明する。
第２実施形態における描画処理は、第１実施形態における描画処理（図１１）のステップＳ４、ステップＳ１３、ステップＳ１６及びステップＳ２４の処理が異なることを除いては、第１実施形態における描画処理と同様の処理及び流れを有している。このため、以下においては、第１実施形態における描画処理と同一の処理については、同一の符号を付して詳細な説明を省略する。
第２実施形態における描画処理は、図１６に示すように、ステップＳ３１、ステップＳ３２、ステップＳ３３及びステップＳ３４の処理を有している。
第２実施形態における描画処理では、第１実施形態における描画処理（図１１）のステップＳ４の処理がステップＳ３１の処理に替えられている。また、第１実施形態における描画処理（図１１）のステップＳ１３の処理がステップＳ３２の処理に替えられている。同様に、第１実施形態における描画処理（図１１）のステップＳ１６の処理がステップＳ３３の処理に替えられており、ステップＳ２４の処理がステップＳ３４の処理に替えられている。
【００６６】
ステップＳ３１及びステップＳ３３のそれぞれでは、ＣＰＵ１１３は、励磁指令を励磁制御部１８１（図１５）に出力する。このとき、励磁制御部１８１は、クランプ部１６３ａ及びクランプ部１６３ｂのそれぞれの電磁石を励磁する。これにより、記録シートＷが、クランプ部１６３ａ及びクランプ部１６３ｂのそれぞれによって挟持される。
ステップＳ３２及びステップＳ３４のそれぞれでは、ＣＰＵ１１３は、励磁解除指令を励磁制御部１８１（図１５）に出力する。このとき、励磁制御部１８１は、クランプ部１６３ａ及びクランプ部１６３ｂのそれぞれの電磁石の励磁を解除する。これにより、クランプ部１６３ａ及びクランプ部１６３ｂのそれぞれによる記録シートＷの挟持が解除される。
【００６７】
第２実施形態では、テンション装置１６１が第１張力付与部に対応し、クランプ部１６３ａ及びクランプ部１６３ｂのそれぞれが挟持部に対応している。
第２実施形態においても、第１実施形態と同様の効果が得られる。
なお、第２実施形態では、クランプ部１６３ａ及びクランプ部１６３ｂのそれぞれに外力を付与する動力源として電磁ソレノイド８１ａ及び電磁ソレノイド８１ｂが採用されている。しかしながら、動力源は、これに限定されず、モーターなどの種々のアクチュエーターが採用され得る。
【００６８】
また、第２実施形態では、クランプ部１６３ａ及びクランプ部１６３ｂのそれぞれが、電磁石を有している。しかしながら、クランプ部１６３ａ及びクランプ部１６３ｂのそれぞれの構成は、これに限定されない。クランプ部１６３ａ及びクランプ部１６３ｂのそれぞれの構成としては、例えば、電磁石に替えて電磁ソレノイドを有する構成も採用され得る。さらに、可動子１７１ａ及び可動子１７１ｂのそれぞれの駆動源としては、電磁ソレノイドに限定されず、モーターなどの種々のアクチュエーターが採用され得る。
【００６９】
また、第１実施形態及び第２実施形態では、それぞれ、記録シートＷに機能液５３を塗布する方法として、塗布法の１つであるインクジェット法が採用されている。しかしながら、塗布法は、インクジェット法に限定されず、ディスペンス法や、印刷法なども採用され得る。しかしながら、インクジェット法を採用することは、記録シートＷの任意の箇所に任意の量の機能液５３を塗布しやすい点で好ましい。
また、第１実施形態及び第２実施形態では、それぞれ、イエロー、マゼンタ、シアン、ブラック及びホワイトの５種類の画像塗料が採用されている。しかしながら、画像塗料の色は、これらの５種類に限定されない。画像塗料の色としては、例えば、これらの５種類にライトシアンやライトマゼンタなどを加えた７種類等、１種類以上の任意の種類の画像塗料が採用され得る。
【符号の説明】
【００７０】
１…液滴吐出装置、３…送出装置、５…巻取装置、７…テーブル装置、９…キャリッジ、１１…キャリッジ搬送装置、１３…ヘッドユニット、１５，１５ａ，１５ｂ…照射装置、１９ａ，１９ｂ…ロール、２１…送出ローラー、２３…送出モーター、２５…巻取ローラー、２７…巻取モーター、２８…搬送経路、３３…吐出ヘッド、３５…ノズル面、３７…ノズル、３９…ノズル列、５３…機能液、５５…液滴、５７…紫外光、５９…光源、７１…テーブル部、７３ａ，７３ｂ…吸着部、７５…吸引ポンプ、７６…吸引孔、７７…吸引室、７９…チューブ、８１ａ，８１ｂ…電磁ソレノイド、８３ａ，８３ｂ…ガイドレール、８５…テンション装置、１６１…テンション装置、１６３ａ，１６３ｂ…クランプ部、１６５ａ，１６５ｂ…引張りばね、１６７ａ，１６７ｂ…ガイドレール、１７１ａ，１７１ｂ…可動子、１７３ａ，１７３ｂ…固定子、Ｗ…記録シート。
【図１】
2011152739.tif 000003
【図２】
2011152739.tif 000004
【図３】
2011152739.tif 000005
【図４】
2011152739.tif 000006
【図５】
2011152739.tif 000007
【図６】
2011152739.tif 000008
【図７】
2011152739.tif 000009
【図８】
2011152739.tif 000010
【図９】
2011152739.tif 000011
【図１０】
2011152739.tif 000012
【図１１】
2011152739.tif 000013
【図１２】
2011152739.tif 000014
【図１３】
2011152739.tif 000015
【図１４】
2011152739.tif 000016
【図１５】
2011152739.tif 000017
【図１６】
2011152739.tif 000018